(57)【要約】  本発明に係る無線通信システムは、移動局と、前記移動局と無線通信する基地局とを有する無線通信システムであって、前記移動局の位置情報に基づいて、前記基地局が管理するセルを分割した複数のエリアのいずれに前記移動局が位置しているかを判別するエリア判別手段と、前記移動局が位置する前記エリアに対応付けられた隣接セル情報を、前記移動局に通知する隣接セル情報通知手段と、を備えることを特徴とする。当該構成とすることで、移動局の位置に応じたセルより細かなエリアに対する隣接セルを移動局にてセルサーチすることが可能になる。
2012049813.tif 000002
【特許請求の範囲】
【請求項１】
移動局と、前記移動局と無線通信する基地局とを有する無線通信システムであって、
前記移動局の位置情報に基づいて、前記基地局が管理するセルを分割した複数のエリアのいずれに前記移動局が位置しているかを判別するエリア判別手段と、
前記移動局が位置する前記エリアに対応付けられた隣接セル情報を、前記移動局に通知する隣接セル情報通知手段と、
を備えることを特徴とする無線通信システム。
【請求項２】
前記基地局が前記エリア判別手段を有し、
前記エリア判別手段は、予め前記基地局から通知された前記複数のエリアのエリア中心に基づいて、前記移動局の位置に最も近いエリア中心を持つエリアを、前記移動局が位置するエリアと判別し、
前記隣接セル情報通知手段は、
前記複数のエリアの各エリアに対応付けられた隣接セル情報を、前記基地局から前記移動局に通知する通知手段と、
前記エリア判別手段が判別した前記移動局が位置する前記エリアに対応付けられた隣接セル情報を、前記移動局において選択する選択手段と、
を含むことを特徴とする請求項１に記載の無線通信システム。
【請求項３】
前記基地局が前記エリア判別手段を有し、
前記エリア判別手段は、前記移動局から通知された前記移動局の位置に最も近いエリア中心を持つエリアを、前記移動局が位置するエリアと判別し、
前記隣接セル情報通知手段は、前記エリア判別手段が判別した前記移動局が位置する前記エリアに対応付けられた隣接セル情報を、前記基地局から前記移動局に通知する通知手段を含むことを特徴とする請求項１に記載の無線通信システム。
【請求項４】
前記基地局から前記移動局に対して、隣接セルとなるべき条件を含む周辺セル測定のためのメッセージを送信する送信手段と、
前記メッセージに応答して、前記移動局が前記隣接セルとなるべき条件を満たす周辺セルを検出して、検出結果を前記基地局に返信する返信手段と、
前記基地局が、前記返信手段により返信された前記隣接セルとなるべき条件を満たす周辺セルを示す識別情報を得て、前記移動局が位置するエリアに対応付けて隣接セル情報として記憶する記憶手段と、
をさらに備えることを特徴とする請求項１乃至３のいずれか１項に記載の無線通信システム。
【請求項５】
前記基地局から前記移動局に対して、隣接セルとなるべき条件を含む周辺セル測定のメッセージを送信する送信手段と、
前記メッセージに応答して、前記移動局が前記隣接セルとなるべき条件を満たす周辺セルを検出して、検出結果を前記基地局に返信する返信手段と、
前記基地局から上位ノードに対して、前記検出結果を転送する転送手段と、
前記上位ノードが、前記転送手段により転送された前記隣接セルとなるべき条件を満たす周辺セルを示す識別情報を得て、前記移動局が位置するエリアに対応付けた隣接セル情報として返送する返送手段と、
前記返送手段により返送された前記移動局が位置するエリアに対応付けた隣接セル情報を記憶する記憶手段と、
をさらに備えることを特徴とする請求項１乃至３のいずれか１項に記載の無線通信システム。
【請求項６】
前記返信手段が返信した前記隣接セルとなるべき条件を満たす周辺セルが前記基地局にとって未知のセル識別情報を有する場合に、前記隣接セルとなるべき条件を満たす周辺セルが有するセルグローバル識別情報を得て、前記移動局が位置するエリアに対応付けた隣接セル情報とする手段をさらに備えることを特徴とする請求項４または５に記載の無線通信システム。
【請求項７】
前記エリア判別手段が判別した前記移動局が位置する前記エリアに対応付けられたハンドオーバーパラメータを前記移動局に通知するハンドオーバーパラメータ通知手段をさらに備え、
前記ハンドオーバーパラメータは前記隣接セル情報を含むことを特徴とする請求項１乃至６のいずれか１項に記載の無線通信システム。
【請求項８】
移動局と、前記移動局と無線通信する基地局とを有する無線通信システムを利用した無線通信方法であって、
前記移動局の位置情報に基づいて、前記基地局が管理するセルを分割した複数のエリアのいずれに前記移動局が位置しているかを判別するエリア判別ステップと、
前記移動局に、判別した前記移動局が位置する前記エリアに対応付けられた隣接セル情報を通知する隣接セル情報通知ステップと、
を含むことを特徴とする無線通信方法。
【請求項９】
基地局と無線通信する移動局であって、
前記基地局が管理するセルを分割した複数のエリアの各エリアに対応付けられた隣接セル情報を、前記基地局から受信する受信手段と、
予め前記基地局から通知された前記複数のエリアのエリア中心に基づいて、前記移動局の位置に最も近いエリア中心を持つエリアを、前記移動局が位置するエリアと判別するエリア判別手段と、
前記エリア判別手段が判別した前記移動局が位置する前記エリアに対応付けられた隣接セル情報を選択する選択手段と、
を備えることを特徴とする移動局。
【請求項１０】
基地局と無線通信する移動局の制御方法であって、
前記基地局が管理するセルを分割した複数のエリアの各エリアに対応付けられた隣接セル情報を、前記基地局から受信する受信ステップと、
予め前記基地局から通知された前記複数のエリアのエリア中心に基づいて、前記移動局の位置に最も近いエリア中心を持つエリアを、前記移動局が位置するエリアと判別するエリア判別ステップと、
前記エリア判別ステップにおいて判別した前記移動局が位置する前記エリアに対応付けられた隣接セル情報を選択する選択ステップと、
を含むことを特徴とする制御方法。
【請求項１１】
基地局と無線通信する移動局の制御プログラムが格納された非一時的なコンピュータ可読媒体であって、
前記基地局が管理するセルを分割した複数のエリアの各エリアに対応付けられた隣接セル情報を、前記基地局から受信する受信ステップと、
予め前記基地局から通知された前記複数のエリアのエリア中心に基づいて、前記移動局の位置に最も近いエリア中心を持つエリアを、前記移動局が位置するエリアと判別するエリア判別ステップと、
前記エリア判別ステップにおいて判別した前記移動局が位置する前記エリアに対応付けられた隣接セル情報を選択する選択ステップと、
をコンピュータに実行させることを特徴とする制御プログラムが格納された非一時的なコンピュータ可読媒体。
【請求項１２】
移動局と無線通信する基地局であって、
前記基地局が管理するセルを分割した複数のエリアのうち、前記移動局から通知された前記移動局の位置に最も近いエリア中心を持つエリアを、前記移動局が位置するエリアと判別するエリア判別手段と、
前記エリア判別手段が判別した前記移動局が位置する前記エリアに対応付けられた隣接セル情報を、前記移動局に通知する通知手段と、
を備えることを特徴とする基地局。
【請求項１３】
移動局と無線通信する基地局の制御方法であって、
前記基地局が管理するセルを分割した複数のエリアのうち、前記移動局から通知された前記移動局の位置に最も近いエリア中心を持つエリアを、前記移動局が位置するエリアと判別するエリア判別ステップと、
前記エリア判別ステップにおいて判別した前記移動局が位置する前記エリアに対応付けられた隣接セル情報を、前記移動局に通知する通知ステップと、
を含むことを特徴とする制御方法。
【請求項１４】
移動局と無線通信する基地局の制御プログラムが格納された非一時的なコンピュータ可読媒体であって、
前記基地局が管理するセルを分割した複数のエリアのうち、前記移動局から通知された前記移動局の位置に最も近いエリア中心を持つエリアを、前記移動局が位置するエリアと判別するエリア判別ステップと、
前記エリア判別ステップにおいて判別した前記移動局が位置する前記エリアに対応付けられた隣接セル情報を、前記移動局に通知する通知ステップと、
をコンピュータに実行させることを特徴とする制御プログラムが格納された非一時的なコンピュータ可読媒体。
【発明の詳細な説明】
【技術分野】
【０００１】
本発明は、移動局の位置に基づくセル制御情報の伝達技術に関する。
【背景技術】
【０００２】
無線通信システムにおいて、移動局がハンドオーバー（ハンドオフ）する場合に、迅速な切れ目の無い処理、あるいは移動局の電源消費を削減できる処理が提案されている。例えば、特許文献１では、複数の移動局が起動時やハンドオフ時に行なったセル検索の結果を基地局に送信して、基地局で隣接セル情報として集中管理する。そして、移動局は、基地局からブロードキャストされる隣接セル情報を随時に受信して記憶しておき、ハンドオフ時には基地局からの隣接セル情報の受信無しにハンドオフするセルを選択する。また、特許文献２では、移動局が、自己位置情報と、各セルの位置情報と、セル境界領域やセル内の弱電界領域などの任意領域情報とを使って自己位置を判定し、ハンドオーバーのための隣接セル基地局受信レベルの測定やハンドオーバー処理を行なう。また、特許文献３では、移動局が、自局が在圏するセルの基地局と共に他の基地局との推定距離を求め、自局の位置をより精度を高く検知して、この精度の高い位置情報を利用する。
【先行技術文献】
【特許文献】
【０００３】
【特許文献１】特開２００３−２５９４３３号公報
【特許文献２】特開平０９−２６１７１０号公報
【特許文献３】特開平１０−３３６７２７号公報
【発明の概要】
【発明が解決しようとする課題】
【０００４】
しかしながら、従来の無線通信システムにおいては、隣接セル情報はセル単位で管理されているので、セル内の細かなエリアに応じた隣接セル情報を移動局にて得ることができない。そのため、移動局の位置からより近いセルであってもセル同士が隣接していないとセル情報が隣接セル情報に含まれないので、セルサーチから排除される。また、移動局による隣接セルのセルサーチのパラメータもセル単位に通知されるので、セル内の細かなエリアに応じた隣接セル情報を生成することもできない。【０００５】
本発明の目的は、上述の課題を解決する技術を提供することにある。
【課題を解決するための手段】
【０００６】
上記目的を達成するため、本発明に係るシステムは、
移動局と、前記移動局と無線通信する基地局とを有する無線通信システムであって、
前記移動局の位置情報に基づいて、前記基地局が管理するセルを分割した複数のエリアのいずれに前記移動局が位置しているかを判別するエリア判別手段と、
前記移動局が位置する前記エリアに対応付けられた隣接セル情報を、前記移動局に通知する隣接セル情報通知手段と、
を備えることを特徴とする。【０００７】
上記目的を達成するため、本発明に係る方法は、
移動局と、前記移動局と無線通信する基地局とを有する無線通信システムを利用した無線通信方法であって、
前記移動局の位置情報に基づいて、前記基地局が管理するセルを分割した複数のエリアのいずれに前記移動局が位置しているかを判別するエリア判別ステップと、
前記移動局に、判別した前記移動局が位置する前記エリアに対応付けられた隣接セル情報を通知する隣接セル情報通知ステップと、
を含むことを特徴とする。【０００８】
上記目的を達成するため、本発明に係る装置は、
基地局と無線通信する移動局であって、
前記基地局が管理するセルを分割した複数のエリアの各エリアに対応付けられた隣接セル情報を、前記基地局から受信する受信手段と、
予め前記基地局から通知された前記複数のエリアのエリア中心に基づいて、前記移動局の位置に最も近いエリア中心を持つエリアを、前記移動局が位置するエリアと判別するエリア判別手段と、
前記エリア判別手段が判別した前記移動局が位置する前記エリアに対応付けられた隣接セル情報を選択する選択手段と、
を備えることを特徴とする。【０００９】
上記目的を達成するため、本発明に係る方法は、
基地局と無線通信する移動局の制御方法であって、
前記基地局が管理するセルを分割した複数のエリアの各エリアに対応付けられた隣接セル情報を、前記基地局から受信する受信ステップと、
予め前記基地局から通知された前記複数のエリアのエリア中心に基づいて、前記移動局の位置に最も近いエリア中心を持つエリアを、前記移動局が位置するエリアと判別するエリア判別ステップと、
前記エリア判別ステップにおいて判別した前記移動局が位置する前記エリアに対応付けられた隣接セル情報を選択する選択ステップと、
を含むことを特徴とする。【００１０】
上記目的を達成するため、本発明に係るコンピュータ可読媒体は、
基地局と無線通信する移動局の制御プログラムが格納された非一時的なコンピュータ可読媒体であって、
前記制御プログラムは、
前記基地局が管理するセルを分割した複数のエリアの各エリアに対応付けられた隣接セル情報を、前記基地局から受信する受信ステップと、
予め前記基地局から通知された前記複数のエリアのエリア中心に基づいて、前記移動局の位置に最も近いエリア中心を持つエリアを、前記移動局が位置するエリアと判別するエリア判別ステップと、
前記エリア判別ステップにおいて判別した前記移動局が位置する前記エリアに対応付けられた隣接セル情報を選択する選択ステップと、
をコンピュータに実行させることを特徴とする。【００１１】
上記目的を達成するため、本発明に係る装置は、
移動局と無線通信する基地局であって、
前記基地局が管理するセルを分割した複数のエリアのうち、前記移動局から通知された前記移動局の位置に最も近いエリア中心を持つエリアを、前記移動局が位置するエリアと判別するエリア判別手段と、
前記エリア判別手段が判別した前記移動局が位置する前記エリアに対応付けられた隣接セル情報を、前記移動局に通知する通知手段と、
を備えることを特徴とする。【００１２】
上記目的を達成するため、本発明に係る方法は、
移動局と無線通信する基地局の制御方法であって、
前記基地局が管理するセルを分割した複数のエリアのうち、前記移動局から通知された前記移動局の位置に最も近いエリア中心を持つエリアを、前記移動局が位置するエリアと判別するエリア判別ステップと、
前記エリア判別ステップにおいて判別した前記移動局が位置する前記エリアに対応付けられた隣接セル情報を、前記移動局に通知する通知ステップと、
を含むことを特徴とする。【００１３】
上記目的を達成するため、本発明に係るコンピュータ可読媒体は、
移動局と無線通信する基地局の制御プログラムが格納された非一時的なコンピュータ可読媒体であって、
前記制御プログラムは、
前記基地局が管理するセルを分割した複数のエリアのうち、前記移動局から通知された前記移動局の位置に最も近いエリア中心を持つエリアを、前記移動局が位置するエリアと判別するエリア判別ステップと、
前記エリア判別ステップにおいて判別した前記移動局が位置する前記エリアに対応付けられた隣接セル情報を、前記移動局に通知する通知ステップと、
をコンピュータに実行させることを特徴とする。
【発明の効果】
【００１４】
本発明によれば、移動局の位置に応じたセルより細かなエリアに対する隣接セルを移動局にてセルサーチすることができる。
【図面の簡単な説明】
【００１５】
【図１】本発明の第１実施形態に係る無線通信システムの構成を示すブロック図である。
【図２】本発明の第２実施形態に係る無線通信システムの構成を示すブロック図である。
【図３】本発明の第２実施形態に係る移動局及び基地局の構成を示すブロック図である。
【図４】本発明の第２実施形態に係るＮＣＬデータベースの構成を示す図である。
【図５Ａ】本発明の第２実施形態に係るエリアＮＣＬに含まれる構成を示す図である。
【図５Ｂ】本発明の第２実施形態に係るエリアＮＣＬに含まれる構成を示す図である。
【図６】本発明の第２実施形態に係る無線通信システムの動作手順を示すシーケンス図である。
【図７】本発明の第３実施形態に係る無線通信システムの動作手順を示すシーケンス図である。
【図８】本発明の第４実施形態に係る無線通信システムの構成を示すブロック図である。
【図９】本発明の第５実施形態に係る無線通信システムの動作手順を示すシーケンス図である。
【図１０】本発明の第６実施形態に係る無線通信システムの動作手順を示すシーケンス図である。
【図１１】本発明の第７実施形態に係る無線通信システムの動作手順を示すシーケンス図である。
【図１２】本発明の第５乃至第７実施形態に係るエリアＮＣＬ作成用またはハンドオーバー検知用パラメータの構成を示す図である。
【図１３】本発明の第５乃至第７実施形態に係るエリアＮＣＬ作成用またはハンドオーバー検知用パラメータのイベント内容を説明する図である。
【発明を実施するための形態】
【００１６】
以下に、図面を参照して、本発明の実施の形態について例示的に詳しく説明する。ただし、以下の実施の形態に記載されている構成要素はあくまで例示であり、本発明の技術範囲をそれらのみに限定する趣旨のものではない。なお、本明細書で使用される文言"セル"は、所謂"セクタ"をも意味する。つまり、以下の明細書中、「セル」の文言を「セクタ」と読み替えることができ、その場合、「エリア」とは１つの「セクタ」を細分化した領域を示すことになる。逆に言えば、所謂「セクタ」と本明細書中の「エリア」とは全く異なる概念であり、１つの「エリア」が複数の「セクタ」に跨っていてもよい。
【００１７】
［第１実施形態］
本発明の第１実施形態としての無線通信システム１００について、図１を用いて説明する。無線通信システム１００は、移動局１１０と、移動局１１０と無線通信する基地局１２０とを有するシステムである。図１に示すように、無線通信システム１００は、エリア判別部１３０と隣接セル情報通知部１４０とを含む。エリア判別部１３０は、移動局１１０の位置情報１０３に基づいて、移動局１１０がセル１０１を分割した複数のエリア１０２のいずれに位置しているかを判別する。隣接セル情報通知部１４０は、移動局１１０に、エリア判別部１３０が判別した移動局１１０が位置するエリアに対応付けられた隣接セル情報１０４を通知する。
【００１８】
本実施形態によれば、セルを更にエリアに細分化し、再分化したエリア毎に隣接セル情報を生成して移動局に通知することにより、移動局位置に応じたセルより細かなエリアに対する隣接セルを移動局にてセルサーチすることができる。
【００１９】
［第２実施形態］
第２実施形態では、セル内の細分化された１つのエリアに位置する移動局と、セルを制御する基地局とからなる無線通信システムにおける処理を説明する。本実施形態では、移動局が各エリアに対応する隣接セル情報を有し、自局位置が含まれるエリアを判別して、判別したエリアに対応付けられた隣接セル情報に基づいてセルサーチを行なう。本実施形態によれば、ハンドオーバー時の基地局から移動局への隣接セル情報の報知時間を無くし、移動局の電源消費の削減ができる。なお、以降の実施形態では、隣接セル情報をNCL(Neighbour Cell List)とも称す。また、移動局の自局位置やエリア中心、セル中心などは、２次元（緯度、経度）あるいは３次元の座標（緯度、経度、標高）で表わされる。
【００２０】
〈第２実施形態の無線通信システムの構成〉
図２は、第２実施形態の無線通信システム２００の構成を示すブロック図である。なお、図２以降では、移動局をＵＥ(User Equipment)とも称す。また、セルは"Cell#n"で、セル内の細分化されたエリアは"Cell#n-m"で示す。
【００２１】
無線通信システム２００では、Cell#1が７つのエリア（Cell#1-1〜Cell#1-7）に細分化されている。Cell#1の中央には基地局３１０があり、ＵＥ２１０はエリアCell#1-2に位置している。本実施形態では、基地局が７つのエリア（Cell#1-1〜Cell#1-7）の各々に対応付けて隣接セル情報を保持している。従って、Cell#1-2のエリアに存在するＵＥ２１０には、エリアCell#1-2に対応付けられた隣接セル情報(本例では、Cell#2, Cell#3, Cell#4, Cell#5, Cell#6, Cell#7, Cell#8, Cell#9)を通知する。従来のセル単位に隣接セル情報を管理する方式では、Cell#1に隣接する(Cell#2, Cell#3, Cell#4, Cell#5, Cell#6, Cell#7)を隣接セルとしていた。これに対し、本実施形態においては、更にエリアCell#1-2に近いCell#8とCell#9とが追加されている。なお、本実施形態では、Cell#1を７つに細分化した例を示したが、その数は本例に限定されない。また、エリアの範囲は同じ半径の円領域としたが、エリアの形状や大きさを統一する必要はない。
【００２２】
図３は、第２実施形態の無線通信システム３００に係る移動局２１０及び基地局３１０の構成を示すブロック図である。
【００２３】
無線通信システム３００は、移動局２１０及び基地局３１０の他に、移動局２１０が自局の位置を検出するためのＧＰＳ衛星３３０と、基地局３１０の上位ノード３２０とを含む。なお、本例では、ＧＰＳによる移動局２１０の位置検出を行なったが、これに限定されない。また、上位ノード３２０は、第７実施形態でエリア単位の隣接セル情報を作成するために使用され、例えば、基地局制御装置、在圏管理装置などがあるがこれらに限定されない。
【００２４】
移動局２１０は、送受信を制御する通信制御部２１１と、移動局２１０全体を制御するＣＰＵ２１２と、表示部やキー、ボタンを含む操作部２１３と、ＣＰＵ２１２の一時記憶、あるいはデータやプログラムを保持する記憶部２１４とを有する。なお、記憶部２１４は、揮発性のメモリや不揮発性のメモリを含む。本実施形態では、記憶部２１４に、ＧＰＳ衛星３３０からの信号により検知した位置情報２１５と、セル単位の隣接セル情報（以下、セルＮＣＬとも称す）２１６と、エリア単位の隣接セル情報（以下、エリアＮＣＬとも称す）２１７とが記憶される。また、記憶部２１４には、エリアＮＣＬ２１７から移動局の現在位置を含むエリアに対応付けられたエリアＮＣＬを選択するエリアＮＣＬ選択プログラム２１８が記憶される。
【００２５】
基地局３１０は、送受信を制御する通信制御部３１１と、基地局３１０全体を制御するＣＰＵ３１２と、ＣＰＵ３１２の一時記憶、あるいはデータやプログラムを保持する記憶部３１３とを有する。なお、記憶部３１３は、揮発性のメモリや不揮発性のメモリ、さらに大容量記憶部を含む。本実施形態では、記憶部３１３に、セル内に在圏する移動局２１０からの位置情報を含む移動局情報３１４と、セルＮＣＬ３１５と、エリアＮＣＬ３１６とが記憶される。また、記憶部３１３には、第３実施形態で使用されるエリアＮＣＬ３１６から移動局の現在位置を含むエリアに対応付けられたエリアＮＣＬを移動局２１０に報知するエリアＮＣＬ報知プログラム３１７が記憶される。さらに、記憶部３１３には、第５実施形態で使用される各エリアの移動局から収集したセル情報からエリアＮＣＬ３１６を作成するエリアＮＣＬ作成プログラム３１８が記憶される。
【００２６】
図４は、第２実施形態に係るＮＣＬデータベース４００の構成を示す図である。かかるＮＣＬデータベース４００は、図３のセルＮＣＬ２１６，エリアＮＣＬ２１７、または、セルＮＣＬ３１５，エリアＮＣＬ３１６に相当する。
【００２７】
ＮＣＬデータベース４００は、セル単位のNCLを記憶するCell#1 NCL４１０やCell#2 NCL４２０を有する。かかるCell#n NCLの構成は、3GPP TS 36.331 V9.3.0 (2010-06)(3rd Generation Partnership Project; Technical Specification Group Radio Access Network; Evolved Universal Terrestrial Radio Access (E-UTRA) Radio Resource Control (RRC); Protocol specification (Release 9))に準拠する。例えば、"SystemInformationBlockType3"や"SystemInformationBlockType4"の形式で保持、更新あるいは報知されてよい。
【００２８】
また、ＮＣＬデータベース４００は、エリア単位のNCLを記憶するCell#1-1エリアＮＣＬ４１１，Cell#1-2エリアＮＣＬ４１２，Cell#1-3エリアＮＣＬ４１３，…，Cell#1-7エリアＮＣＬ４１７を有する。図２に示したように、本例ではＵＥ２１０がエリアCell#1-2に位置する場合であり、Cell#1-2エリアＮＣＬ４１２が太線で示されている。図４には、Cell#1についてのみエリアＮＣＬを示したが、他のCell#nについてもエリアＮＣＬが記憶される。かかるCell#n-mエリアＮＣＬは、上記"SystemInformationBlockType4"の形式のデータをエリア分だけ準備することにより保持あるいは報知される。かかる構成より、標準のLTE(Long Term Evolution)システムにて本実施形態を実現することができる。なお、本実施形態では、ＬＴＥ標準を例に説明しているが、他の無線通信方式にも適用可能である。
【００２９】
（Cell#1-2エリアＮＣＬの例：SystemInformationBlockType3-2）
図５Ａに、Cell#1-2エリアＮＣＬ４１２に含まれる１つの構成を示す。Cell#1-2エリアＮＣＬ４１２は、"SystemInformationBlockType3-2"４１２Ａを含む。例えば、図５Ａの５０１には、"Cell Reselection Info"（セル再選択情報）記述される。この"SystemInformationBlockType3-2"４１２Ａが作成保持あるいは更新されて、エリアCell#1-2に位置するＵＥ２１０に隣接セル情報の収集のために報知される。図２に示す本実施形態では、"Cell Reselection Info"にエリアCell#1-2において隣接セルとなるべき条件が記述される。本例では、セルCell#1は７つのエリアCell#1-1〜Cell#1-7に細分化されている。従って、それぞれのエリアに対応付けて"SystemInformationBlockType3-1"〜"SystemInformationBlockType3-7"が、基地局３１０のCell#1-2エリアＮＣＬ４１２に準備される。
【００３０】
（Cell#1-2エリアＮＣＬの例：SystemInformationBlockType4-2）
図５Ｂに、Cell#1-2エリアＮＣＬ４１２に含まれる他の構成を示す。Cell#1-2エリアＮＣＬ４１２は、"SystemInformationBlockType4-2"４１２Ｂを含む。例えば、図５Ｂの５０２には"NeighCellList"（隣接セルリスト）が、５０３には"NeighCellInfo"（各隣接セル情報）が記述される。この"SystemInformationBlockType4-2"４１２Ｂが作成保持あるいは更新されて、エリアCell#1-2に位置するＵＥ２１０にセルサーチにために報知される。図２に示す本実施形態では、"NeighCellList"にCell#2〜Cell#9が記述され、"NeighCellInfo"にCell#2〜Cell#9の各情報が記述される。本例では、セルCell#1は７つのエリアCell#1-1〜Cell#1-7に細分化されている。従って、それぞれのエリアに対応付けて"SystemInformationBlockType4-1"〜"SystemInformationBlockType4-7"が、基地局３１０のCell#1-2エリアＮＣＬ４１２に準備される。
【００３１】
なお、本実施形態では、"SystemInformationBlockType4"の形式のデータをエリア対応の隣接セル情報の保持や報知に使用したが、他の形式のデータ、例えば"SystemInformationBlockType3"などを利用することも可能である。
【００３２】
〈第２実施形態の無線通信システムの動作手順〉
図６は、第２実施形態の無線通信システム６００の動作手順を示すシーケンス図である。なお、基地局３１０には、セルＮＣＬ及びエリアＮＣＬが既に準備されているものとする。また、ＵＥ（移動局）２１０と基地局３１０の動作は、それぞれ図３に図示したＣＰＵ２１２，ＣＰＵ３１２がプログラムに従って実行するものとする。
【００３３】
まず、ステップＳ６０１において、基地局３１０は、報知情報としてCell#1-1エリアＮＣＬ〜Cell#1-7エリアＮＣＬをＵＥ２１０に報知する。かかる報知タイミングは、所定期間毎、あるいはエリアＮＣＬの変更があった場合、あるいはＵＥ２１０が基地局３１０の在圏内に入った時、などが考えられる。
【００３４】
ＵＥ２１０がセル境界領域や弱電界領域に入ったなどのイベントが発生した場合に、ステップＳ６０３において、ＵＥ２１０は、ＧＰＳなどによりＵＥ２１０の現在位置を測定する。次に、ステップＳ６０５において、測定したＵＥ２１０の現在位置から自局が居るエリアを判別して、判別したエリアに対応付けられたエリアＮＣＬを選択する。図２に示す本例では、Cell#1-2エリアＮＣＬ４１２を選択する。かかるエリアの判別は、次のように行なわれてよい。基地局３１０または上位ノード３２０で、セル(Cell)内の各エリアのエリア中心の座標（緯度、経度、標高）を決め、ＵＥ２１０に通知しておく。ＵＥ２１０は、最も近いエリア中心のエリアを自身が位置するエリアと決める。
【００３５】
続いて、ステップＳ６０７において、Cell#1-2エリアＮＣＬ４１２から隣接セルに対してセルサーチを行なう。この後、ハンドオーバーなどの処理が行なわれる。
【００３６】
［第３実施形態］
第３実施形態では、第２実施形態と異なり、移動局が自局位置を基地局に通知して、基地局が移動局の現在位置が含まれるエリアを判別して、判別したエリアに対応付けられた隣接セル情報を移動局に報知する。本実施形態によれば、移動局に各エリアに対応づけられた隣接セル情報を保持する必要がなく、基地局がエリアの判別や隣接セル情報を行なう。そのため、移動局の資源の消費を抑えることができ、さらに、最新の隣接セル情報を得ることができる。
【００３７】
なお、第３実施形態のシステム及び装置の構成は、図３で移動局がエリアＮＣＬ選択プログラム２１８を持たず、その代わりに基地局が選択するエリアＮＣＬ報知プログラム３１７でエリア判別とエリアＮＣＬの報知を行なう。この相違以外は、第２実施形態と同様であるので、説明を省略する。
【００３８】
〈第３実施形態の無線通信システムの動作手順〉
図７は、第３実施形態の無線通信システム７００の動作手順を示すシーケンス図である。なお、基地局３１０には、セルＮＣＬ及びエリアＮＣＬが既に準備されているものとする。また、ＵＥ（移動局）２１０と基地局３１０の動作は、それぞれ図３に図示したＣＰＵ２１２，ＣＰＵ３１２がプログラムに従って実行するものとする。
【００３９】
まず、ステップＳ７０１において、基地局３１０は、報知情報としてCell#1のセルＮＣＬをＵＥ２１０に報知する。かかる報知タイミングは、所定期間毎、あるいはセルＮＣＬの変更があった場合、あるいはＵＥ２１０が基地局３１０の在圏内に入った時、などが考えられる。
【００４０】
ＵＥ２１０がセル境界領域や弱電界領域に入ったなどのイベントが発生した場合に、ステップＳ７０３において、ＵＥ２１０は、ＧＰＳなどによりＵＥ２１０の現在位置を測定する。次に、ステップＳ７０５において、測定したＵＥ２１０の現在位置を基地局３１０に通知する。
【００４１】
基地局３１０は、ステップＳ７０７において、受信した移動局２１０の位置情報からＵＥ２１０が居るエリアを判別して、判別したエリアに対応付けられたエリアＮＣＬを選択する。かかるエリアの判別は、次にように行なわれる。基地局３１０または上位ノード３２０で、セル(Cell)内の各エリアのエリア中心の座標（緯度、経度、標高）を決め、ＵＥ２１０から通知された自局の位置情報に基づいて、最も近いエリア中心のエリアをＵＥ２１０が位置するエリアと決める。図２に示す本例では、Cell#1-2エリアＮＣＬ４１２を選択する。続いて、ステップＳ７０９において、Cell#1-2エリアＮＣＬ４１２をＵＥ２１０に報知する。
【００４２】
ＵＥ２１０は、ステップＳ７１１において、Cell#1-2エリアＮＣＬ４１２から隣接セルに対してセルサーチを行なう。この後、ハンドオーバーなどの処理が行なわれる。
【００４３】
［第４実施形態］
第４実施形態では、第２及び第３実施形態と異なり、セルが高層ビルなどの３次元の領域を含み、高層ビルのセルを各階あるいは複数の階で細分化してエリアとする。本実施形態によれば、第２及び第３実施形態のような２次元方向のエリアの関係では捕捉できなかった３次元方向の隣接セルを捕捉可能となる。このため、移動局の位置やエリア中心、セルの範囲は、共に３次元座標（緯度、経度、標高）で表わし、標高も考慮したエリアの隣接セルが選択されて、移動局に報知される。
【００４４】
本実施形態によれば、高さも考慮した３次元でエリアを細分化しているので、高層ビルなどで移動局位置に応じたCellより細かなエリアの隣接セルを移動局にてセルサーチすることができるという効果が得られる。
【００４５】
〈第４実施形態の無線通信システムの構成〉
図８は、第４実施形態の無線通信システム８００の構成を示すブロック図である。なお、図２と同様に、移動局をＵＥ(User Equipment)と称し、セルは"Cell#n"で、セル内の細分化されたエリアは"Cell#n-m"で示す。
【００４６】
無線通信システム８００では、高層ビル８０１に対応するCell#1が３つのエリア８０２（Cell#1-1〜Cell#1-3）に細分化されている。Cell#1の中央には図示しない基地局があり、ＵＥ２１０はエリアCell#1-3に位置している。なお、細分化の数は図８に限定されない。本実施形態では、基地局が３つのエリア８０２（Cell#1-1〜Cell#1-3）の各々に対応付けて隣接セル情報を保持している。Cell#1-3のエリアに存在するＵＥ２１０には、エリアCell#1-3に対応付けられた隣接セル情報(本例では、Cell#2, Cell#3, Cell#4, Cell#5, Cell#6, Cell#7, Cell#10)を通知する。このCell#10のセル８０４は、高層ビル８０１の上層部にあるエリアCell#1-3からは見通しのよい高台８０３の上に設けられている。従って、エリアCell#1-3に位置するＵＥ２１０にとって、Cell#10は隣接セルとなる。一方、従来のセル単位のNCL伝達方式では、(Cell#2, Cell#3, Cell#4, Cell#5, Cell#6, Cell#7)を隣接セルとしており、Cell#10を含むことは出来なかった。
【００４７】
なお、第４実施形態のシステム及び装置の他の構成と動作手順は、第２及び第３実施形態と同様であるので、説明を省略する。
【００４８】
［第５実施形態］
上記実施形態では、基地局に予めエリア単位のNCLが準備されているものとして、説明をした。第５実施形態では、エリア単位のNCLを作成する手順について説明する。かかるエリア単位のNCLの作成は、無線通信システムの起動時や基地局の起動時に行なわれても、あるいは定期的な更新時や移動局からのイベント情報の受信時や環境変化時に行なわれてもよい。さらに、エリア単位のNCLの作成が図７のステップＳ７０７の中で行なわれてもよい。本実施形態によれば、最新の通信環境に追随して随時各エリアに対応づけられた隣接セル情報を更新することができる。
【００４９】
なお、第５実施形態のシステム及び装置の構成は、第２乃至第４実施形態の構成を使用できるので、説明を省略する。
【００５０】
〈第５実施形態の無線通信システムの動作手順〉
図９は、第５実施形態の無線通信システム９００の動作手順を示すシーケンス図である。なお、ＵＥ（移動局）２１０と基地局３１０の動作は、それぞれ図３に図示したＣＰＵ２１２，ＣＰＵ３１２がプログラムに従って実行するものとする。また、図９では、基地局をeNB（evolutional Node B）であるとして説明するが、これに限定されることはない。また、以下のシーケンスで示すメッセージなどは、上記3GPP TS 36.331 V9.3.0 (2010-06)に準拠するものであり、そのまま記載する。
【００５１】
まず、ステップＳ９０１において、基地局３１０は、例えばハンドオーバー（以下、HO：Handoverとも記す)時の準備として、周辺セル測定のためのメッセージをＵＥ２１０に対して送信する。この周辺セル測定のためのメッセージとしては、構成測定(以下、MC: Measurement Configuration)を行うための"RRC Connection Reconfiguration"メッセージが使われる。ＵＥ２１０は、メッセージを正常に受付けた場合は、ステップＳ９０３において、基地局３１０に対して、"RRC Connection Reconfiguration Complete"で応答する。そして、ＵＥ２１０は、周辺セル(Cell)の測定を開始する。ＵＥ２１０は、"RRC Connection Reconfiguration"の条件にある周辺セル(Cell)を検出すると、ステップＳ９０５において、基地局に対して検出結果として測定レポート(以下、MR: Measurement Report)を物理セル識別情報(以下、PCI: Physical Cell Identity)を指定して返信する。
【００５２】
基地局３１０は、基地局３１０が未知のPCIを含むMRを受け取った場合に、ステップＳ９０７において、セルグローバル識別情報（以下、CGI: Cell Global Identity) retrieval (CGI確認)を実行する。まず、基地局３１０は、ステップＳ９０９において、未知のPCIのCGI確認のためのMCをＵＥ２１０に対して行うために、"RRC Connection Reconfiguration"メッセージを、ＵＥ２１０に送信する。ＵＥ２１０は、メッセージを正常に受付けた場合は、ステップＳ９１１において、基地局３１０に対して、"RRC Connection Reconfiguration Complete"で応答する。そして、ＵＥ２１０は、未知のPCIの周辺セル(Cell)の報知情報の受信を開始する。ＵＥ２１０は、ステップＳ９１３において、基地局３１０に対して検出結果としてCGIのMRを返信する。
【００５３】
また、ＵＥ２１０は、ステップＳ９１５において、ＧＰＳなどにより未知のPCIの周辺セル(Cell)を受信したときのＵＥ２１０の位置情報検出し、ステップＳ９１７において、基地局３１０に対して通知する。
【００５４】
基地局３１０は、ステップＳ９１９において、通知を受けたＵＥ２１０の２次元又は３次元の位置情報に基づいて、エリアを判別する。次に、ステップＳ９０５において受信したPCIとステップＳ９１３において受信したCGIとを使用して、エリア単位のエリアＮＣＬを自動作成(ANR: Automatic Neighbour Relation)する。
【００５５】
［第６実施形態］
第６実施形態では、基地局から上位ネットワークにＵＥ位置情報、未知PCI 周辺セル情報(CGIなど)などを送り、上位ノードにて、２次元又は３次元のＵＥ位置情報に基づいたエリア単位のNCL作成を行う。本実施形態によれば、基地局の負荷を削減し、高速にNCL作成ができる。なお、第６実施形態のシステム及び装置の構成は、第２乃至第４実施形態の構成を使用できるので、説明を省略する。
【００５６】
〈第６実施形態の無線通信システムの動作手順〉
図１０は、第６実施形態の無線通信システム１０００の動作手順を示すシーケンス図である。なお、ＵＥ（移動局）２１０と基地局３１０の動作は、それぞれ図３に図示したＣＰＵ２１２，ＣＰＵ３１２がプログラムに従って実行するものとする。また、図１０では、基地局をeNB（evolutional Node B）であるとして説明するが、これに限定されることはない。また、以下のシーケンスで示すメッセージなどは、上記3GPP TS 36.331 V9.3.0 (2010-06)に準拠するものであり、そのまま記載する。
【００５７】
図１０のステップＳ９０１〜Ｓ９１７の動作は、第５実施形態と同様であるので、説明は省略し、それ以降の手順を説明する。
【００５８】
基地局３１０は、ステップＳ１０１９において、通知を受けたＵＥ２１０の２次元又は３次元の位置情報、ステップＳ９０５において受信したPCI、ステップＳ９１３において受信したCGIを、上位ノード３２０に転送する。
【００５９】
上位ノード３２０は、ステップＳ１０２１において、基地局３１０から転送されたＵＥ２１０の２次元又は３次元の位置情報に基づいて、エリアを判別する。次に、基地局３１０から転送されたPCIとCGIとを使用して、エリア単位のエリアＮＣＬを自動作成する。ステップＳ１０２３において、上位ノード３２０は、作成したエリア単位のエリアＮＣＬを基地局３１０に通知するため返送する。なお、上位ノード３２０がセルＮＣＬを同時に作成してもよい。なお、本実施形態では１つの基地局３１０から上位ノード３２０への位置情報とPCIとCGIの転送と、上位ノード３２０によるNCL作成について説明した。しかし、上位ノード３２０には、複数の基地局、あるいはさらに複数の基地局制御装置や複数のネットワークから情報を集積し、これら集積された情報に基づいて最適なセルNCLやエリアNLCを作成してよい。
【００６０】
［第７実施形態］
第７実施形態では、エリア単位のNCLを使ってハンドオーバーパラメータ通知を行なう手順について説明する。本実施形態によれば、各エリアに対応づけられて通知された隣接セル情報及びハンドオーバーパラメータによるセルサーチをすることにより、移動局の位置に対応する適切なハンドオーバーができる。
【００６１】
なお、第５実施形態のシステム及び装置の構成は、第２乃至第４実施形態の構成を使用できるので、説明を省略する。
【００６２】
〈第７実施形態の無線通信システムの動作手順〉
図１１は、第７実施形態の無線通信システム１１００の動作手順を示すシーケンス図である。なお、ＵＥ（移動局）２１０と基地局３１０の動作は、それぞれ図３に図示したＣＰＵ２１２，ＣＰＵ３１２がプログラムに従って実行するものとする。また、図１１では、基地局をeNB（evolutional Node B）であるとして説明するが、これに限定されることはない。また、以下のシーケンスで示すメッセージなどは、上記3GPP TS 36.331 V9.3.0 (2010-06)に準拠するものであり、そのまま記載する。
【００６３】
まず、ＵＥ２１０は、ハンドオーバーを必要とするセル境界領域や弱電界領域に入った場合に、ステップＳ１１０１において、ＧＰＳなどを使って自局位置を測定する。そして、ＵＥ２１０は、ステップＳ１１０３において、測定した自局位置を基地局３１０に通知する。
【００６４】
基地局３１０は、ステップＳ１１０５において、ＵＥ２１０の位置情報からエリアを判別し、そのエリアのハンドオーバーパラメータをＵＥ２１０に通知する。まず、ステップＳ１１０７において、ＵＥ２１０に対して構成測定(MC: Measurement Configuration)を行うため"RRC Connection Reconfiguration"メッセージを基地局３１０からＵＥ２１０に送信する。ＵＥ２１０は、メッセージを正常に受付けた場合は、ステップＳ１１０９において、基地局３１０に対して、"RRC Connection Reconfiguration Complete"を送信し、周辺セル(Cell)の測定を開始する。ＵＥ２１０は、"RRC Connection Reconfiguration"の条件にある周辺セル(Cell)を検出すると、ステップＳ１１１１において、基地局に対してMRを、PCIを指定して送信する。
【００６５】
基地局３１０は、ステップＳ１１１３において受信したPCIの中からハンドオーバー先の基地局３１０を決定して、ステップＳ１１１５においてハンドオーバーを実行する。
【００６６】
（ハンドオーバーパラメータの例：Report Config EUTRA）
図１２に、ハンドオーバーパラメータの例として、上記3GPP TS 36.331 V9.3.0 (2010-06)に準拠する"Report Config EUTRA"１２００を示す。
【００６７】
図１２において、１２０１は、ＵＥ２１０によるセルサーチにおけるイベントＡ１〜Ａ５の条件を記述した部分である。本実施形態においては、この"Report Config EUTRA"１２００のパラメータがエリア単位に通知されてＵＥ２１０に送られ、エリア単位のセルサーチが行なわれることになる。かかるイベントＡ１〜Ａ５の内容については、図１３に概要１３００を示す。
【００６８】
また、図１２の１２０２は、セルサーチされるセルの最大数を表わすパラメータである。例えば、図２の本実施形態ではセルの最大数は"８"である。従来のセル単位のセルサーチであれば、最大数は"６"である。本実施形態では、エリアにより隣接セルの数は条件に応じて任意に変更される。
【００６９】
この"Report Config EUTRA"１２００は、第５及び第６実施形態における"RRC Connection Reconfiguration"メッセージとして使用してもよい。なお、"SystemInformationBlockType4"においても記載したが、本実施形態で使用したメッセージの内容は、その一例であって、同じ機能を実現できる他のメッセージを使用することが可能である。
【００７０】
［他の実施形態］
なお、本実施形態はＬＴＥ標準を例に説明したが、本実施形態が適用される無線通信方式は特に限定されず、たとえばＷ−ＣＤＭＡ(Wideband Code Division Multiple Access)、ＷＬＡＮ(Wireless Local Area Network)、ＩＥＥＥ(Institute of Electrical and Electronics Engineers)802.16mに規定された仕様などを含む種々の無線通信方式が適用可能である。
【００７１】
以上、本発明の実施形態について詳述したが、それぞれの実施形態に含まれる別々の特徴を如何様に組み合わせたシステム又は装置も、本発明の範疇に含まれる。
【００７２】
また、本発明は、複数の機器から構成されるシステムに適用されても良いし、単体の装置に適用されても良い。さらに、本発明は、実施形態の機能を実現する制御プログラムが、システム或いは装置に直接或いは遠隔から供給される場合にも適用可能である。したがって、本発明の機能をコンピュータで実現するために、コンピュータにインストールされる制御プログラム、或いはその制御プログラムを格納した媒体、その制御プログラムをダウンロードさせるＷＷＷ(World Wide Web)サーバも、本発明の範疇に含まれる。
【００７３】
また、本発明は以下の各付記に記載する構成とすることができる。
（付記１）
移動局と、前記移動局と無線通信する基地局とを有する無線通信システムであって、前記移動局の位置情報に基づいて、前記基地局が管理するセルを分割した複数のエリアのいずれに前記移動局が位置しているかを判別するエリア判別手段と、前記移動局が位置する前記エリアに対応付けられた隣接セル情報を、前記移動局に通知する隣接セル情報通知手段と、を備えることを特徴とする無線通信システム。
（付記２）
前記基地局が前記エリア判別手段を有し、前記エリア判別手段は、予め前記基地局から通知された前記複数のエリアのエリア中心に基づいて、前記移動局の位置に最も近いエリア中心を持つエリアを、前記移動局が位置するエリアと判別し、前記隣接セル情報通知手段は、前記複数のエリアの各エリアに対応付けられた隣接セル情報を、前記基地局から前記移動局に通知する通知手段と、前記エリア判別手段が判別した前記移動局が位置する前記エリアに対応付けられた隣接セル情報を、前記移動局において選択する選択手段と、を含むことを特徴とする（付記１）に記載の無線通信システム。
（付記３）
前記基地局が前記エリア判別手段を有し、前記エリア判別手段は、前記移動局から通知された前記移動局の位置に最も近いエリア中心を持つエリアを、前記移動局が位置するエリアと判別し、前記隣接セル情報通知手段は、前記エリア判別手段が判別した前記移動局が位置する前記エリアに対応付けられた隣接セル情報を、前記基地局から前記移動局に通知する通知手段を含むことを特徴とする（付記１）に記載の無線通信システム。
（付記４）
前記基地局から前記移動局に対して、隣接セルとなるべき条件を含む周辺セル測定のためのメッセージを送信する送信手段と、前記メッセージに応答して、前記移動局が前記隣接セルとなるべき条件を満たす周辺セルを検出して、検出結果を前記基地局に返信する返信手段と、前記基地局が、前記返信手段により返信された前記隣接セルとなるべき条件を満たす周辺セルを示す識別情報を得て、前記移動局が位置するエリアに対応付けて隣接セル情報として記憶する記憶手段と、をさらに備えることを特徴とする（付記１乃至３）のいずれかに記載の無線通信システム。
（付記５）
前記基地局から前記移動局に対して、隣接セルとなるべき条件を含む周辺セル測定のメッセージを送信する送信手段と、前記メッセージに応答して、前記移動局が前記隣接セルとなるべき条件を満たす周辺セルを検出して、検出結果を前記基地局に返信する返信手段と、前記基地局から上位ノードに対して、前記検出結果を転送する転送手段と、前記上位ノードが、前記転送手段により転送された前記隣接セルとなるべき条件を満たす周辺セルを示す識別情報を得て、前記移動局が位置するエリアに対応付けた隣接セル情報として返送する返送手段と、前記返送手段により返送された前記移動局が位置するエリアに対応付けた隣接セル情報を記憶する記憶手段と、をさらに備えることを特徴とする（付記１乃至３）のいずれかに記載の無線通信システム。
（付記６）
前記返信手段が返信した前記隣接セルとなるべき条件を満たす周辺セルが前記基地局にとって未知のセル識別情報を有する場合に、前記隣接セルとなるべき条件を満たす周辺セルが有するセルグローバル識別情報を得て、前記移動局が位置するエリアに対応付けた隣接セル情報とする手段をさらに備えることを特徴とする（付記４または５）に記載の無線通信システム。
（付記７）
前記エリア判別手段が判別した前記移動局が位置する前記エリアに対応付けられたハンドオーバーパラメータを前記移動局に通知するハンドオーバーパラメータ通知手段をさらに備え、前記ハンドオーバーパラメータは前記隣接セル情報を含むことを特徴とする（付記１乃至６）のいずれかに記載の無線通信システム。
（付記８）
移動局と、前記移動局と無線通信する基地局とを有する無線通信システムを利用した無線通信方法であって、前記移動局の位置情報に基づいて、前記基地局が管理するセルを分割した複数のエリアのいずれに前記移動局が位置しているかを判別するエリア判別ステップと、前記移動局に、判別した前記移動局が位置する前記エリアに対応付けられた隣接セル情報を通知する隣接セル情報通知ステップと、を含むことを特徴とする無線通信方法。
（付記９）
基地局と無線通信する移動局であって、前記基地局が管理するセルを分割した複数のエリアの各エリアに対応付けられた隣接セル情報を、前記基地局から受信する受信手段と、予め前記基地局から通知された前記複数のエリアのエリア中心に基づいて、前記移動局の位置に最も近いエリア中心を持つエリアを、前記移動局が位置するエリアと判別するエリア判別手段と、前記エリア判別手段が判別した前記移動局が位置する前記エリアに対応付けられた隣接セル情報を選択する選択手段と、を備えることを特徴とする移動局。
（付記１０）
基地局と無線通信する移動局の制御方法であって、前記基地局が管理するセルを分割した複数のエリアの各エリアに対応付けられた隣接セル情報を、前記基地局から受信する受信ステップと、予め前記基地局から通知された前記複数のエリアのエリア中心に基づいて、前記移動局の位置に最も近いエリア中心を持つエリアを、前記移動局が位置するエリアと判別するエリア判別ステップと、前記エリア判別ステップにおいて判別した前記移動局が位置する前記エリアに対応付けられた隣接セル情報を選択する選択ステップと、を含むことを特徴とする制御方法。
（付記１１）
基地局と無線通信する移動局の制御プログラムが格納された非一時的なコンピュータ可読媒体であって、前記基地局が管理するセルを分割した複数のエリアの各エリアに対応付けられた隣接セル情報を、前記基地局から受信する受信ステップと、予め前記基地局から通知された前記複数のエリアのエリア中心に基づいて、前記移動局の位置に最も近いエリア中心を持つエリアを、前記移動局が位置するエリアと判別するエリア判別ステップと、前記エリア判別ステップにおいて判別した前記移動局が位置する前記エリアに対応付けられた隣接セル情報を選択する選択ステップと、  をコンピュータに実行させることを特徴とする制御プログラムが格納された非一時的なコンピュータ可読媒体。
（付記１２）
移動局と無線通信する基地局であって、前記基地局が管理するセルを分割した複数のエリアのうち、前記移動局から通知された前記移動局の位置に最も近いエリア中心を持つエリアを、前記移動局が位置するエリアと判別するエリア判別手段と、前記エリア判別手段が判別した前記移動局が位置する前記エリアに対応付けられた隣接セル情報を、前記移動局に通知する通知手段と、を備えることを特徴とする基地局。
（付記１３）
移動局と無線通信する基地局の制御方法であって、前記基地局が管理するセルを分割した複数のエリアのうち、前記移動局から通知された前記移動局の位置に最も近いエリア中心を持つエリアを、前記移動局が位置するエリアと判別するエリア判別ステップと、前記エリア判別ステップにおいて判別した前記移動局が位置する前記エリアに対応付けられた隣接セル情報を、前記移動局に通知する通知ステップと、を含むことを特徴とする制御方法。
（付記１４）
移動局と無線通信する基地局の制御プログラムが格納された非一時的なコンピュータ可読媒体であって、前記基地局が管理するセルを分割した複数のエリアのうち、前記移動局から通知された前記移動局の位置に最も近いエリア中心を持つエリアを、前記移動局が位置するエリアと判別するエリア判別ステップと、前記エリア判別ステップにおいて判別した前記移動局が位置する前記エリアに対応付けられた隣接セル情報を、前記移動局に通知する通知ステップと、をコンピュータに実行させることを特徴とする制御プログラムが格納された非一時的なコンピュータ可読媒体。
【００７４】
なお、上述の実施の形態では、本発明をハードウェアの構成として説明したが、本発明は、これに限定されるものではない。本発明は、任意の処理を、ＣＰＵ（Central Processing Unit）にコンピュータプログラムを実行させることにより実現することも可能である。
【００７５】
また、上記プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００７６】
この出願は、２０１０年１０月１２日に出願された日本出願特願２０１０−２３００６１を基礎とする優先権を主張し、その開示の全てをここに取り込む。
【産業上の利用可能性】
【００７７】
本発明は、ＬＴＥ（Long Term Evolution）をはじめとする様々な移動体通信システムに適用することができる。
【符号の説明】
【００７８】
１０１  セル
１０２  エリア
１１０  移動局（ＵＥ）
１２０  基地局（ｅＮＢ）
１３０  エリア判定部
１４０  隣接セル情報通知部
２１０  移動局（ＵＥ）
２１１  通信制御部
２１２  ＣＰＵ（Central Processing Unit）
２１３  操作部
２１４  記憶部
２１５  位置情報
２１６  セルＮＣＬ
２１７  エリアＮＣＬ
２１８  エリアＮＣＬ選択プログラム
３１０  基地局（ｅＮＢ）
３１１  通信制御部
３１２  ＣＰＵ（Central Processing Unit）
３１３  記憶部
３１４  移動局情報
３１５  セルＮＣＬ
３１６  エリアＮＣＬ
３１７  エリアＮＣＬ報知プログラム
３１８  エリアＮＣＬ作成プログラム
３２０  上位ノード
４００  ＮＣＬデータベース
【図１】
2012049813.tif 000003
【図２】
2012049813.tif 000004
【図３】
2012049813.tif 000005
【図４】
2012049813.tif 000006
【図５Ａ】
2012049813.tif 000007
【図５Ｂ】
2012049813.tif 000008
【図６】
2012049813.tif 000009
【図７】
2012049813.tif 000010
【図８】
2012049813.tif 000011
【図９】
2012049813.tif 000012
【図１０】
2012049813.tif 000013
【図１１】
2012049813.tif 000014
【図１２】
2012049813.tif 000015
【図１３】
2012049813.tif 000016
【手続補正書】
【提出日】平成25年2月14日(2013.2.14)
【手続補正１】
【補正対象書類名】特許請求の範囲
【補正対象項目名】全文
【補正方法】変更
【補正の内容】
【特許請求の範囲】
【請求項１】
移動局と、前記移動局と無線通信する基地局とを有する無線通信システムであって、
前記移動局の位置情報に基づいて、前記基地局が管理するセルを分割した複数のエリアのいずれに前記移動局が位置しているかを判別するエリア判別手段と、
前記移動局が位置する前記エリアに対応付けられた隣接セル情報を、前記移動局に通知する隣接セル情報通知手段と、
を備えることを特徴とする無線通信システム。
【請求項２】
前記基地局が前記エリア判別手段を有し、
前記エリア判別手段は、予め前記基地局から通知された前記複数のエリアのエリア中心に基づいて、前記移動局の位置に最も近いエリア中心を持つエリアを、前記移動局が位置するエリアと判別し、
前記隣接セル情報通知手段は、
前記複数のエリアの各エリアに対応付けられた隣接セル情報を、前記基地局から前記移動局に通知する通知手段と、
前記エリア判別手段が判別した前記移動局が位置する前記エリアに対応付けられた隣接セル情報を、前記移動局において選択する選択手段と、
を含むことを特徴とする請求項１に記載の無線通信システム。
【請求項３】
前記基地局が前記エリア判別手段を有し、
前記エリア判別手段は、前記移動局から通知された前記移動局の位置に最も近いエリア中心を持つエリアを、前記移動局が位置するエリアと判別し、
前記隣接セル情報通知手段は、前記エリア判別手段が判別した前記移動局が位置する前記エリアに対応付けられた隣接セル情報を、前記基地局から前記移動局に通知する通知手段を含むことを特徴とする請求項１に記載の無線通信システム。
【請求項４】
前記基地局から前記移動局に対して、隣接セルとなるべき条件を含む周辺セル測定のためのメッセージを送信する送信手段と、
前記メッセージに応答して、前記移動局が前記隣接セルとなるべき条件を満たす周辺セルを検出して、検出結果を前記基地局に返信する返信手段と、
前記基地局が、前記返信手段により返信された前記隣接セルとなるべき条件を満たす周辺セルを示す識別情報を得て、前記移動局が位置するエリアに対応付けて隣接セル情報として記憶する記憶手段と、
をさらに備えることを特徴とする請求項１乃至３のいずれか１項に記載の無線通信システム。
【請求項５】
前記基地局から前記移動局に対して、隣接セルとなるべき条件を含む周辺セル測定のメッセージを送信する送信手段と、
前記メッセージに応答して、前記移動局が前記隣接セルとなるべき条件を満たす周辺セルを検出して、検出結果を前記基地局に返信する返信手段と、
前記基地局から上位ノードに対して、前記検出結果を転送する転送手段と、
前記上位ノードが、前記転送手段により転送された前記隣接セルとなるべき条件を満たす周辺セルを示す識別情報を得て、前記移動局が位置するエリアに対応付けた隣接セル情報として返送する返送手段と、
前記返送手段により返送された前記移動局が位置するエリアに対応付けた隣接セル情報を記憶する記憶手段と、
をさらに備えることを特徴とする請求項１乃至３のいずれか１項に記載の無線通信システム。
【請求項６】
移動局と、前記移動局と無線通信する基地局とを有する無線通信システムを利用した無線通信方法であって、
前記移動局の位置情報に基づいて、前記基地局が管理するセルを分割した複数のエリアのいずれに前記移動局が位置しているかを判別するエリア判別ステップと、
前記移動局に、判別した前記移動局が位置する前記エリアに対応付けられた隣接セル情報を通知する隣接セル情報通知ステップと、
を含むことを特徴とする無線通信方法。
【請求項７】
基地局と無線通信する移動局であって、
前記基地局が管理するセルを分割した複数のエリアの各エリアに対応付けられた隣接セル情報を、前記基地局から受信する受信手段と、
予め前記基地局から通知された前記複数のエリアのエリア中心に基づいて、前記移動局の位置に最も近いエリア中心を持つエリアを、前記移動局が位置するエリアと判別するエリア判別手段と、
前記エリア判別手段が判別した前記移動局が位置する前記エリアに対応付けられた隣接セル情報を選択する選択手段と、
を備えることを特徴とする移動局。
【請求項８】
基地局と無線通信する移動局の制御方法であって、
前記基地局が管理するセルを分割した複数のエリアの各エリアに対応付けられた隣接セル情報を、前記基地局から受信する受信ステップと、
予め前記基地局から通知された前記複数のエリアのエリア中心に基づいて、前記移動局の位置に最も近いエリア中心を持つエリアを、前記移動局が位置するエリアと判別するエリア判別ステップと、
前記エリア判別ステップにおいて判別した前記移動局が位置する前記エリアに対応付けられた隣接セル情報を選択する選択ステップと、
を含むことを特徴とする制御方法。
【請求項９】
移動局と無線通信する基地局であって、
前記基地局が管理するセルを分割した複数のエリアのうち、前記移動局から通知された前記移動局の位置に最も近いエリア中心を持つエリアを、前記移動局が位置するエリアと判別するエリア判別手段と、
前記エリア判別手段が判別した前記移動局が位置する前記エリアに対応付けられた隣接セル情報を、前記移動局に通知する通知手段と、
を備えることを特徴とする基地局。
【請求項１０】
移動局と無線通信する基地局の制御方法であって、
前記基地局が管理するセルを分割した複数のエリアのうち、前記移動局から通知された前記移動局の位置に最も近いエリア中心を持つエリアを、前記移動局が位置するエリアと判別するエリア判別ステップと、
前記エリア判別ステップにおいて判別した前記移動局が位置する前記エリアに対応付けられた隣接セル情報を、前記移動局に通知する通知ステップと、
を含むことを特徴とする制御方法。
【国際調査報告】
2012049813.tif 000017
2012049813.tif 000018